(57)【要約】      （修正有）【課題】電流の経由するルートが短い導電端子を有した電気コネクタを提供すること。【解決手段】絶縁ハウジングと、該絶縁ハウジング内に装着される複数の導電端子５とを含む。前記導電端子は、主体部５と、該主体部の一端に設置される第１延伸アーム５２と、該第１延伸アームに相対した第２延伸アーム５３と、前記第１延伸アーム及び第２延伸アームの末端にそれぞれ延伸して設置される第１接触部５２１と第２接触部５３１とを含み、該導電端子の第１接触部及び第２接触部の末端に第１弾性アーム５４及び第２弾性アーム５５がそれぞれ延伸して形成される。使用する時、電気コネクタが押圧されると、前記第１弾性アームと第２弾性アームが弾性変形して主体部にそれぞれ接触することにより導電ルートが形成される。電流の経由するルートが短くなり、更にインピーダンスが小さくなることで、高周波の信号を伝送する時に生じる熱量が減少する。【選択図】図２
0003108239.tif 000002
【実用新案登録請求の範囲】
【請求項１】
対接面と、取付面と、該対接面及び取付面を貫設した複数の収容孔とを備える絶縁ハウジングと、
前記絶縁ハウジングの収容孔内に装着され、主体部と、該主体部の一端に設置される第１延伸アームと、該第１延伸アームに相対して設置される第２延伸アームと、前記第１延伸アームの末端に設置され、前記絶縁ハウジングの対接面から突出する第１接触部と、前記第２延伸アームの末端に設置され、前記絶縁ハウジングの取付面から突出する第２接触部とを含む導電端子と
を含み、
前記導電端子の第１接触部の末端に第１弾性アームが延伸して形成され、前記第２接触部の末端に第２弾性アームが延伸して形成され、前記導電端子が押圧される時、前記第１弾性アーム及び第２弾性アームが弾性変形して前記主体部にそれぞれ接触することを特徴とするチップモジュールと回路基板とを電気的に接続する電気コネクタ。
【請求項２】
前記導電端子の主体部に少なくとも一つの側壁が延伸して形成されることを特徴とする請求項１記載の電気コネクタ。
【請求項３】
前記導電端子の主体部に二つの相対した側壁が延伸して形成されることを特徴とする請求項２記載の電気コネクタ。
【請求項４】
前記導電端子の主体部は前記相対した側壁と前記第１延伸アームと第２延伸アームとともにほぼ角筒状を呈する構造が形成されることを特徴とする請求項３記載の電気コネクタ。
【請求項５】
前記導電端子の第２延伸アームは、前記主体部と離れて設置され、且つ同じ収容溝内に装着されることを特徴とする請求項１或いは３記載の電気コネクタ。
【請求項６】
主体部と、
前記主体部の一端に延伸して設置され、末端に第１接触部が設けられる第１延伸アームと、
前記第１延伸アームに相対して設置され、末端に第２接触部が設けられる第２延伸アームと、
前記第1接触部の末端から延伸して形成される第1弾性アームと、
前記第２接触部の末端から延伸して形成される第２弾性アームと
を含み、
前記第１接触部及び第２接触部が押圧される時、前記第１弾性アーム及び第２弾性アームが弾性変形して前記主体部にそれぞれ接触することを特徴とする導電端子。
【請求項７】
前記主体部に少なくとも一つの側壁が延伸して形成されることを特徴とする請求項６記載の導電端子。
【請求項８】
前記主体部に二つの相対した側壁が延伸して形成されることを特徴とする請求項７記載の導電端子。
【請求項９】
前記主体部は前記相対した側壁と前記第１延伸アームと第２延伸アームとともにほぼ角筒状を呈する構造が形成されることを特徴とする請求項８記載の導電端子。
【請求項１０】
前記第２延伸アームは、前記主体部と離れて設置され、且つ同じ収容溝内に装着されることを特徴とする請求項８記載の導電端子。
【請求項１１】
収容孔が設けられる絶縁ハウジングと、
該絶縁ハウジングの収容孔内に装着され、主体部と、該主体部の一端に延伸して設置され、末端に第１接触部が設けられる第１延伸アームと、前記第１延伸アームに相対して設置され、末端に第２接触部が設けられる第２延伸アームと、前記第1接触部の末端から延伸して設置される第1弾性アームと、前記第２接触部の末端から延伸して設置される第２弾性アームとを含む複数の導電端子と
を含む電気コネクタと、
前記電気コネクタの一側に接続されるチップモジュールと、
前記電気コネクタの他側に接続される回路基板と
を含む電気コネクタ組み合わせにおいて、
前記電気コネクタがチップモジュールと回路基板とを接続した時、前記チップモジュールと、第２接触部と、第２弾性アームと、主体部と、第１弾性アームと、第１接触部と、回路基板とからなる導通ルートが形成されることを特徴とする電気コネクタ組み合わせ。
【請求項１２】
前記主体部に二つの相対した側壁が延伸して形成されることを特徴とする請求項１１記載の電気コネクタ組み合わせ。
【請求項１３】
前記導電端子の主体部は前記相対した側壁と前記第１延伸アームと第２延伸アームとともにほぼ角筒状を呈する構造が形成されることを特徴とする請求項１２記載の電気コネクタ組み合わせ。
【請求項１４】
前記第２延伸アームは、前記主体部と離れて設置され、且つ同じ収容溝内に装着されることを特徴とする請求項１３記載の電気コネクタ組み合わせ。
【考案の詳細な説明】
【技術分野】
【０００１】
本考案は、電気コネクタに関し、特にチップモジュールと回路基板とを電気的に接続できる電気コネクタに関するものである。
【背景技術】
【０００２】
従来のチップモジュールと回路基板とを電気的に接続できる電気コネクタは、基本的に、絶縁ハウジングと、該絶縁ハウジングの中央の導電区に装着される導電端子とを含み、前記導電端子は一般に優れた弾性を有し且つ前記絶縁ハウジングの外側に延出している。前記導電端子がチップモジュールと回路基板とを電気的に接続する時には、該電気コネクタに押圧力を加えることにより、前記絶縁ハウジング内に装着された導電端子が弾性変形させられ、該導電端子の弾性変形により生じた弾性力により、前記チップモジュール及び回路基板の対応した導電パッドが押圧され、こうして、チップモジュールと回路基板との電気的に安定した接続を達成できる。
【０００３】
図６に示すように、従来の電気コネクタ（図示せず）の導電端子７は、主体部７１と、該主体部７１の両末端から延出した第１弾性アーム７２及び第２弾性アーム７３と、前記第１弾性アーム７２及び第２弾性アーム７３の末端にそれぞれ曲がるようにして設けられる第１接触部７２１及び第２接触部７３１とを含んでいる。該導電端子７は電気コネクタの収容溝（図示せず）内に装着され、前記第１接触部７２１及び第２接触部７３１は絶縁ハウジングの相対した表面（図示せず）からそれぞれ突出する。
【０００４】
電気コネクタがチップモジュール（図示せず）と回路基板（図示せず）とを電気的に接続する時、前記第１弾性アーム７２及び第２弾性アーム７３は、チップモジュール及び回路基板に加えられた押圧力を受けると、弾性変形して弾性力を生じる。該弾性力により、前記第１接触部７２１及び第２接触部７３１はチップモジュール及び回路基板の導電パッドをそれぞれ押圧して、こうして、導電端子がチップモジュールと回路基板とを電気的に安定した接続を達成できる。
【０００５】
しかしながら、該従来の電気コネクタの導電端子７の寸法が所定の規格で変更できないことから、高周波の電気特性の設計において調整空間が小さくなり、いろいろな場合の要求に適応できず、且つ、該導電端子７の主体部７１が平板を呈することで、導電端子７の静電容量特性が悪くなっていた。
【０００６】
前記問題を解決しようとするために、図７及び図８に示す電気コネクタ６が開発された。該電気コネクタ６の導電端子８は、主体部８１と、該主体部８１の一端から曲がり延出した第１延伸アーム８２と、該主体部８１に相対してスライドできる第２延伸アーム８３と、前記第１延伸アーム８２及び第２延伸アーム８３の末端にそれぞれ設置される第１接触部８２１及び第２接触部８３１とを含んでいる。
【０００７】
前記主体部８１は、側壁８１１と、該側壁８１１から延出して主体部８１に相対した弾性アーム８１２とを含んでいる。前記第２延伸アーム８３の前記第２接触部８３１に相対した末端には前記弾性アーム８１２に係合する接触アーム８３２が延出され、前記弾性アーム８１２を接触アーム８３２に係合させることで、前記第１延伸アーム８２と第２延伸アーム８３とを連接している。
【０００８】
使用する時、該電気コネクタ６に押圧力を加えることで、前記導電端子８を弾性変形させ、図８に示すように、該導電端子８の弾性変形により生じた弾性力により、前記第１接触部８２１及び第２接触部８３１がチップモジュール９及び回路基板４の導電パッド（記号なし）をそれぞれ押圧して連接する。
【０００９】
係合する過程で、前記導電端子８の主体部８１に設置された側壁８１１が優れた静電容量の特性を提供でき、且つ、導電端子８の第２延伸アーム８３の前記接触アーム８３２を前記主体部８１に設けられた弾性アーム８１２にスライドして係合させることで、導電端子８の高さが調節できる。こうして、電気コネクタ６は高周波の電気特性の設計において調整空間が大きくなり、いろいろな場合の要求に適応できる。
【００１０】
しかしながら、前記チップモジュール９は前記導電端子８により回路基板４と導通しているため、電流は、前記チップモジュール９の導電パッドから、第２接触部８３１と、接触アーム８３２と、弾性アーム８１２と、側壁８１１と、第１延伸アーム８２と、第１接触部８２１とをそれぞれ流れて回路基板４の導電パッドに至ることで、電流の経由するルートが長くなり、さらに総合的なインピーダンスが大きくなることで、導電端子８の生じる熱量が大きくなり、こうして、高周波の信号を伝送する時、インピーダンスが大きくなり、生じる熱量が大きくなり、更に、該電気コネクタ６が前記チップモジュール９と回路基板４とを電気的に接続することが影響される。
【００１１】
そこで、前記従来の電気コネクタの欠点を改良した新型の電気コネクタを開発する必要がある。
【考案の開示】
【考案が解決しようとする課題】
【００１２】
本考案は、電流の経由するルートが短い導電端子を有した電気コネクタを提供することを目的とする。
【課題を解決するための手段】
【００１３】
前記目的を達成するために、本考案のチップモジュールと回路基板とを電気的に接続する電気コネクタは、絶縁ハウジングと、該絶縁ハウジング内に装着される複数の導電端子とを含む。前記導電端子は、主体部と、該主体部の一端に設置される第１延伸アームと、該第１延伸アームに相対して設置される第２延伸アームと、前記第１延伸アームの末端に延伸して設置される第１接触部と、前記第２延伸アームの末端に延伸して設置される第２接触部とを含み、前記導電端子の第１接触部の末端に第１弾性アームが延伸して形成され、前記第２接触部の末端に第２弾性アームが延伸して形成される。使用する時、電気コネクタが押圧されると、前記第１弾性アームと第２弾性アームが弾性変形して前記主体部にそれぞれ接触することにより導電ルートが形成される。
【考案の効果】
【００１４】
従来の技術に比べると、本考案は以下の長所がある。導電端子の第１接触部及び第２接触部の末端に第１弾性アームと第２弾性アームが延伸して形成され、導電端子がチップモジュールと回路基板とを接続する時、前記第１弾性アーム及び第２弾性アームが押圧されると、弾性変形を生じてから主体部にそれぞれ接触することにより導電ルートが形成される。こうして、電流の経由するルートが短くなり、さらに総合的なインピーダンスが小さくなることで、導電端子は高周波の信号を伝送する時に生じる熱量が減少し、前記チップモジュールと回路基板との間の電気的な導通を達成できる。
【考案を実施するための最良の形態】
【００１５】
図１と図３を参照すると、本考案の電気コネクタ１は、絶縁ハウジング１１と該絶縁ハウジング１１内に複数の導電端子５とを含んでいる。
【００１６】
前記絶縁ハウジング１１は、チップモジュール２を支持する対接面１１１と、該対接面１１１に相対し且つ回路基板３に接続される取付面１１２と、該対接面１１１及び取付面１１２を貫設した複数の収容孔１１３とを含んでいる。前記収容孔１１３内に前記導電端子５を固定するために固定溝（図示せず）と位置決め溝（図示せず）とが設けられる。
【００１７】
図２〜図５に示すように、前記導電端子５は、前記収容孔１１３内に装着され、主体部５１と、該主体部５１の一端に設置された第１延伸アーム５２と、該主体部５１の他端に前記第１延伸アーム５２に相対して設置された第２延伸アーム５３と、前記第１延伸アーム５２の末端に設置され、前記絶縁ハウジング１１の対接面１１１から突出する第１接触部５２１と、前記第２延伸アーム５３の末端に設置され、前記絶縁ハウジング１１の取付面１１２から突出する第２接触部５３１とを含む。前記第１延伸アーム５２に、前記収容孔１１３の固定溝に係合される固定部５２２が設けられ、前記第２延伸アーム５３に、前記収容孔１１３の位置決め溝に係合される位置決め部５３２が設けられる。
【００１８】
前記主体部５１は、相対している第１側壁５１２と第２側壁５１３とを備え、該導電端子５がチップモジュール２と回路基板３とを接続した時に、該第１側壁５１２及び第２側壁５１３と前記第１延伸アーム５２と第２延伸アーム５３とともにほぼ角筒状を呈する構造が形成されることで、優れた静電容量特性を提供できる。
【００１９】
前記第１接触部５２１と第２接触部５３１には、末端に第１弾性アーム５４と第２弾性アーム５５とがそれぞれ設けられ、該第１弾性アーム５４及び第２弾性アーム５５には、末端に前記主体部５１に接触する第１弾性末端５４１と第２弾性末端５５１とがそれぞれ延出される。
【００２０】
図４に示すように、電気コネクタ１がチップモジュール２と回路基板３との接続を準備する時、該電気コネクタ１が外界の押圧力を受けず、前記絶縁ハウジング１１の収容孔１１３内に装着された導電端子５がまだ弾性変形を生じないことで、第１弾性アーム５４及び第２弾性アーム５５が開放状態を呈し、且つ第１接触部５２１と第２接触部５３１が前記絶縁ハウジングの取付面１１２及び対接面１１１からそれぞれ突出し、チップモジュール２と回路基板３とをそれぞれ接続している。
【００２１】
図５に示すように、電気コネクタ１が外界の押圧力を受ける時、前記チップモジュール２及び回路基板３の対応して設置される導電パッド（記号なし）が前記第２接触部５３１及び第１接触部５２１をそれぞれ押圧することで、導電端子５の第１延伸アーム５２及び第２延伸アーム５３を弾性変形させて弾性力を生じさせる。該弾性力により、前記チップモジュール２及び回路基板３が導電端子５に加えた押圧力が釣り合わされる。
【００２２】
前記第１延伸アーム５２と第２延伸アーム５３の弾性変形に従って、前記第１接触部５２１及び第２接触部５３１も弾性変形させられ、前記チップモジュール２及び回路基板３の対応して設置される導電パッドを押圧する。この場合、導電端子５に押圧力を加えた後に続いて、前記第１弾性アーム５４及び第２弾性アーム５５も弾性変形を生じ、前記第１弾性末端５４１と第２弾性アーム５５１とがそれぞれ主体部５１に安定して接触することにより導通ルートが形成される。
【００２３】
こうして、電流が、前記チップモジュール２の導電パッドと、第２接触部５３１と、第２弾性末端５５１と、主体部５１と、第１弾性末端５４１と、第１接触部５２１と、回路基板３の導電パッドとをそれぞれ流れて、電流の経由するルートが短くなり、さらに総合的なインピーダンスが小さくなることで、導電端子５は高周波の信号を伝送する時に生じる熱量が減少し、前記チップモジュール２と回路基板３との間の電気的な導通を確実に達成できる。
【００２４】
以上、本考案の一実施形態であって、取付けの便利のために本実施状態の導電端子５が一体に設置される。本考案の他の実施形態で、導電端子５はお互いに離れた二つの部材からなってもいい、すなわち、導電端子５の第２延伸アーム５３が主体部５１と離れて設置され、さらに導電端子５の第２弾性アーム５３と主体部５１との間の高さが調節でき、いろいろな電気コネクタの高さの要求に満足できるようにしてもいい。
【００２５】
以上本考案について最良の実施の形態を参照して詳細に説明したが、実施形態はあくまでも例示的なものであり、これらに限定されるものではない。また前記の説明は、本考案に基づきなしうる細部の修正或は変更など、いずれも本考案の請求範囲に属するものとする。
【産業上の利用可能性】
【００２６】
本考案は、電気コネクタに関し、特にチップモジュールと回路基板とを電気的に接続できる電気コネクタに関するものである。
【図面の簡単な説明】
【００２７】
【図１】本考案に係る電気コネクタの分解斜視図である。
【図２】本考案に係る電気コネクタの導電端子の斜視図である。
【図３】本考案に係る電気コネクタの導電端子が絶縁ハウジング内に装着された断面図である。
【図４】本考案に係る電気コネクタと回路基板とチップモジュールとの接続を準備する断面図である。
【図５】本考案に係る電気コネクタと回路基板とチップモジュールとを接続した断面図である。
【図６】従来の電気コネクタの導電端子の斜視図である。
【図７】従来の他の電気コネクタの導電端子の斜視図である。
【図８】図７に示す従来の電気コネクタの導電端子と回路基板とチップモジュールとを接続した断面図である。
【符号の説明】
【００２８】
１、６  電気コネクタ
２、９  チップモジュール
３、４  回路基板
５、７、８  導電端子
１１  絶縁ハウジング
５１、７１、８１  主体部
５２  第１延伸アーム
５３  第２延伸アーム
５４、７２、８２  第１弾性アーム
５５、７３，８３  第２弾性アーム
１１１  対接面
１１２  取付面
１１３  収容孔
５１２  第１側壁
５１３  第２側壁
５２１、７２１、８２１  第１接触部
５３１、７３１、８３１  第２接触部
５３２  位置決め部
５４１  第１弾性末端
５５１  第２弾性末端
８１１  側壁
８１２  弾性アーム
８３２  接触アーム
【図１】
0003108239.tif 000003
【図２】
0003108239.tif 000004
【図３】
0003108239.tif 000005
【図４】
0003108239.tif 000006
【図５】
0003108239.tif 000007
【図６】
0003108239.tif 000008
【図７】
0003108239.tif 000009
【図８】
0003108239.tif 000010